(57)【要約】【課題】扉の取り付け後に取り付け部材にカバーを被せることができる冷蔵庫の扉のヒンジ構造を提供する。【解決手段】下ヒンジ部材４２は、キャビネットの仕切部１５にネジ６０，６２，６４でネジ止めされる取り付け部材４４と、取り付け部材４４から前方に突出した軸支持部４８と、軸支持部４８から上方に突出した下ヒンジ軸５０と、取り付け部材４４のネジ６０，６２を被うカバー４６と、カバー４６を取り付け部材４４に固定する係合部８６，８８を有する。【選択図】      図５
2014037918.tif 000002
【特許請求の範囲】
【請求項１】
冷蔵庫のキャビネットに設けられた貯蔵室の前面を開閉する扉の上部を回動自在に支持するために、前記キャビネットに固定された上ヒンジ部材と、
前記扉の下部を回動自在に支持するために、前記キャビネットに固定された下ヒンジ部材と、
を有する冷蔵庫の扉のヒンジ構造において、
前記下ヒンジ部材は、
前記キャビネットにネジで固定される取り付け部材と、
前記取り付け部材から前方に突出した軸支持部と、
前記軸支持部から上方に突出した下ヒンジ軸と、
前記取り付け部材の前記ネジを覆うカバーと、
前記カバーを前記取り付け部材に固定する係合部と、
を有する冷蔵庫の扉のヒンジ構造。
【請求項２】
前記係合部は、垂直面に対する法線を回転軸とした前記カバーの回転を阻止するように、前記取り付け部材に設けられた第１係合部と、前記カバーに設けられた第２係合部とを有する、
請求項１に記載の冷蔵庫の扉のヒンジ構造。
【請求項３】
前記第１係合部は、前記取り付け部材の一端部に設けられた段差部であり、
前記第２係合部は、前記段差部と係合するために前記カバーに設けられた係合片である、
請求項２に記載の冷蔵庫の扉のヒンジ構造。
【請求項４】
前記係合部は、前記取り付け部材に対し前記カバーが前後方向に抜脱しないように、前記取り付け部材に設けられた第３係合部と、前記カバーに設けられた第４係合部とを有する、
請求項１に記載の冷蔵庫の扉のヒンジ構造。
【請求項５】
前記取り付け部材の後面にシート部材が設けられている、
請求項１に記載の冷蔵庫の扉のヒンジ構造。
【請求項６】
前記係合部は、前記取り付け部材に対し前記カバーが前後方向に抜脱しないように、前記取り付け部材に設けられた第３係合部と、前記カバーに設けられた第４係合部とを有し、
前記第３係合部が、前記シート部材によって前記取り付け部材と前記キャビネットの間に形成された隙間であり、
前記第４係合部が、前記隙間に挿入するために前記カバーに設けられた係合片である、
請求項５に記載の冷蔵庫の扉のヒンジ構造。
【請求項７】
前記取り付け部材の前面から、前記扉と係合する係合フックが突出し、
前記カバーに前記係合フックが貫通するフック孔が開口している、
請求項１に記載の冷蔵庫の扉のヒンジ構造。
【請求項８】
前記係合部は、前記取り付け部材に対し前記カバーが前後方向に抜脱しないように、前記取り付け部材に設けられた第５係合部と、前記カバーに設けられた第６係合部とを有し、
前記第５係合部が、前記係合フックから突出した突起であり、
前記第６係合部が、前記フック孔の縁部である、
請求項７に記載の冷蔵庫の扉のヒンジ構造。
【請求項９】
前記カバーと前記取り付け部材とは、離間している、
請求項１乃至８のいずれか一項に記載の冷蔵庫の扉のヒンジ構造。
【請求項１０】
前記カバーに加えて、前記軸支持部の上面を覆う第２のカバーを有する、
請求項１乃至９のいずれか一項に記載の冷蔵庫の扉のヒンジ構造。
【請求項１１】
前記取り付け部材は、前記貯蔵室と、当該貯蔵室の下方に設けられた第２の貯蔵室との間の仕切り部の前面にネジ止めされる、
請求項１乃至１０のいずれか一項に記載の冷蔵庫の扉のヒンジ構造。
【発明の詳細な説明】
【技術分野】
【０００１】
冷蔵庫の扉のヒンジ構造に関するものである。
【背景技術】
【０００２】
従来より、冷蔵庫の冷蔵室の扉は、ヒンジ構造により開閉自在であり、扉の上部と下部にそれぞれ上ヒンジ部材と下ヒンジ部材が設けられている。
【０００３】
下ヒンジ部材を、冷蔵庫のキャビネットに設ける場合には、下ヒンジ軸が設けられている取り付け部材を、冷蔵室と野菜室の仕切り部にネジ止めしている。このとき取り付け部材を固定するネジが冷蔵庫の正面に露出するため、従来より取り付け部材にカバーを被せた構造がある。
【先行技術文献】
【特許文献】
【０００４】
【特許文献１】特公平８−７００８号公報
【特許文献２】特開昭６３−２３３２８３号公報
【特許文献３】実公昭６２−２４６９号公報
【発明の概要】
【発明が解決しようとする課題】
【０００５】
しかし、上記構造では、キャビネットを組み立て、扉を取り付ける前にカバーを取り付け部材に被せる必要がある。そのため、扉を取り付けて冷蔵庫が完成した後、扉の取り付け状態を調整するときに、カバーがあるため、下ヒンジ部材の位置を調整できないという問題点があった。
【０００６】
そこで、本発明は上記問題点に鑑み、扉の取り付け後に取り付け部材にカバーを被せることができる冷蔵庫の扉のヒンジ構造を提供することを目的とする。
【課題を解決するための手段】
【０００７】
本実施形態は、冷蔵庫のキャビネットに設けられた貯蔵室の前面を開閉する扉の上部を回動自在に支持するために、前記キャビネットに固定された上ヒンジ部材と、前記扉の下部を回動自在に支持するために、前記キャビネットに固定された下ヒンジ部材と、を有する冷蔵庫の扉のヒンジ構造において、前記下ヒンジ部材は、前記キャビネットにネジで固定される取り付け部材と、前記取り付け部材から前方に突出した軸支持部と、前記軸支持部から上方に突出した下ヒンジ軸と、前記取り付け部材の前記ネジを覆うカバーと、前記カバーを前記取り付け部材に固定する係合部と、を有する冷蔵庫の扉のヒンジ構造である。
【図面の簡単な説明】
【０００８】
【図１】実施形態１の冷蔵庫の正面図である。
【図２】冷蔵室の右扉を開いた状態の拡大斜視図である。
【図３】カバーを取り付け部材に被せようとしている状態の前方から見た分解斜視図である。
【図４】カバーを取り付け部材に被せようとしている状態の後方から見た分解斜視図である。
【図５】取り付け部材、カバー、扉固定部材の横断面図である。
【図６】図５における扉を除いた状態のＡ−Ａ千断面図である。
【図７】取り付け部材にカバーを取り付けた状態の後側から見た右側の拡大背面図である。
【図８】図７におけるＢ−Ｂ線断面図である。
【図９】実施形態２の取り付け部材とカバーの横断面図である。
【図１０】実施形態３の下ヒンジ部材の縦断面図である。
【図１１】実施形態３の第２のカバーを被せた状態の平面図である。
【発明を実施するための形態】
【０００９】
一実施形態の冷蔵庫１０のヒンジ構造について図面に基づいて説明する。
【実施形態１】
【００１０】
実施形態１の冷蔵庫１０のヒンジ構造について図１〜図８に基づいて説明する。
【００１１】
（１）冷蔵庫１０の構造
冷蔵庫１０の構造について、図１に基づいて説明する。図１は、冷蔵庫１０の正面図である。
【００１２】
冷蔵庫１０のキャビネット１２は、内箱と外箱とを組み合わせたものであり、その間に断熱部材が挟まれ、断熱箱体を構成している。キャビネット１２には、上から順番に冷蔵室１４、野菜室１６、製氷室１８、大型の冷凍室２２が形成され、製氷室１８の右側には小型の冷凍室２０が形成されている。
【００１３】
冷蔵室１４には、観音開き式の扉２４，２６が設けられ、野菜室１６、製氷室１８、小型の冷凍室２０、大型の冷凍室２２にはそれぞれ引出し式の扉２８，３０，３２，３４が設けられている。
【００１４】
冷蔵室１４の観音開き式の扉２４，２６は、ヒンジ構造によって開閉し、左扉２４の上部には上ヒンジ部材３６が設けられ、下部には下ヒンジ部材３８が設けられている。また、右扉２６の上部には上ヒンジ部材４０が設けられ、下部には下ヒンジ部材４２が設けられている。以下の説明では、図２に示す右扉２６の下ヒンジ部材４２の構造について詳しく説明する。なお、左扉２４の下ヒンジ部材２８も左右対称で同じ構造を有しているので、その説明は省略する。
【００１５】
（２）下ヒンジ部材４２
下ヒンジ部材４２の構造について図３〜図８に基づいて説明する。
【００１６】
下ヒンジ部材４２は、図３に示すように、金属製の取り付け部材４４と、取り付け部材４４に取り付けられるＡＢＳ樹脂製のカバー４６を有している。
【００１７】
（２−１）取り付け部材４４
取り付け部材４４について、図３〜図５に基づいて説明する。
【００１８】
取り付け部材４４は、厚みのある横長の板状である。
【００１９】
取り付け部材４４の右端部の上部分からは、板状の軸支持部４８が前方に突出している。この軸支持部４８の先端部からは、下ヒンジ軸５０が上方に突出している。この軸支持部４８の右側外側には、後から説明するストッパー凹部５２が形成されている。
【００２０】
取り付け部材４４の左側、中央部、右側には、ネジ貫通孔５４，５６，５８がそれぞれ開口している。各ネジ貫通孔５４，５６，５８は横長の孔であって、ワッシャを有したネジ６０，６２，６４が貫通する。なお、右側のネジ貫通孔５８は、軸支持部４８下方に開口している。
【００２１】
左側のネジ貫通孔５４と中央部のネジ貫通孔５６の間の上部分からは、係合フック６６が前方に突出している。この係合フック６６は、後から説明する右扉２６の係合凹部９２に係合するものであり、先端部がやや左側に折曲されフック形状を成している。また、係合フック６６の基部右側には、図５に示すように、突起６８が右側に突出し、この突起６８から基部に向かって係合凹部７０が形成されている。一方、右扉２６の下面には、図５に示すように、係合フック６６と係合する板状の扉固定部材９０がネジ止めされている。この扉固定部材９０には、係合フック６６と係合するための係合凹部９２が設けられ、右扉２６を閉めた状態で、係合フック６６が係合凹部９２と係合し、右扉２６が開放状態になることを防止する。
【００２２】
取り付け部材４４の左端部には、高さ方向における中央部で右側に凹み、段差部７１が形成されている。
【００２３】
取り付け部材４４の後面には、図４に示すように、合成樹脂、又は、その他の材質により形成されたシート部材８４が接着剤によって貼り付けられている。シート部材８４を貼り付ける理由は、取り付け部材４４が金属製であり、キャビネット１２に取り付けた場合に滑る可能性があるため、その滑りを防止するためである。シート部材８４の大きさは、取り付け部材４４の後面よりも若干小さく形成され、取り付け部材４４をシート部材８４を介してキャビネット１２に取り付けた場合に、シート部材８４の周囲には、隙間８５が形成される。また、シート部材８４には、各ネジ貫通孔５４，５６，５８に対応する横長の孔が開口している。
【００２４】
（２−２）カバー４６
次に、カバー４６について図３〜図８に基づいて説明する。
【００２５】
カバー４６は、図３、図４、図５に示すように、取り付け部材４４にネジ止めされた左ネジ６０と中ネジ６２を被う部材であって、直方体形状を成し、後面及び下面が開口し、前板７２、上板７４、左板７６、右板７８から形成されている。カバー４６の横方向の寸法は、取り付け部材４４の左端部から、中ネジ６２が取り付けられる位置の右側までの寸法に合わせて形成されている。また、カバー４６の高さは取り付け部材４４の上端部から段差部７１までの大きさと同じである。
【００２６】
前板７２の中央部には、係合フック６６が貫通する長方形状のフック孔８０が開口している。
【００２７】
カバー４６の上板７４裏面の中央部、すなわち、係合フック６６と対応する位置には、図４と図６に示すように、係合フック６６の基部の曲面形状に対応して下方に突出したフック引込み部８２が設けられている。
【００２８】
カバー４６の左板７６の下端部から、下係合片８６が内方に向かって突出している。下係合片８６は、図７に示すように、取り付け部材４４の左側に設けられた段差部７１に係合する。
【００２９】
カバー４６の左板７６の後端部から、後係合片８８が内方に向かって突出している。後係合片８８は、図７と図８に示すように、隙間８５に係合するものであり、その突出長さは下係合片８６よりも短い。
【００３０】
（３）下ヒンジ部材４２の固定作業
次に、上記で説明した下ヒンジ部材４２の固定作業について説明する。
【００３１】
まず、作業者は、冷蔵室１４と野菜室１６の間にある仕切部１５の前面に、図５〜図７に示すように、取り付け部材４４を、左ネジ６０、中ネジ６２、右ネジ６４を用いてネジ止めする。この場合に、金属製の仕切部１５と取り付け部材４４の間には、上記で説明したシート部材８４が介在され、取り付け部材４４が仕切部１５に対し滑るのを防止している。なお、この場合のネジ止めは仮止めである。
【００３２】
次に、作業者は、右扉２６を取り付け部材４４の下ヒンジ軸５０に嵌め込み、続いて上ヒンジ部材３６を取り付けることにより、右扉２６が回動自在に取り付ける。
【００３３】
次に、作業者は、左扉２４も同様にして取り付け部材を取り付ける。
【００３４】
次に、作業者は、左扉２４と右扉２６を開閉させ、両扉が完全にピッタリと閉まるように、下ヒンジ部材４２の取り付け位置を調整する。この場合には、左ネジ６０，中ネジ６２，右ネジ６４は、横長のネジ貫通孔５４，５６，５８を貫通しているため、両扉２４，２６がピッタリと閉まるように、作業者は、取り付け部材４４の位置を横方向及び縦方向にずらして調整し、調整後に左ネジ６０，中ネジ６２，右ネジ６４を完全に固定する。なお、作業者が、左扉２４と右扉２６がピッタリと閉まっているか否かを検査するときには、図５に示すように、係合フック６６が係合凹部９２に係合しているか、また、右扉２６を開いたときに、取り付け部材４４の軸支持部４８の右側にあるストッパー凹部５２に扉２８の下部に設けられた不図示のストッパーが当たり、右扉２６が必要以上に回動しないようになっているかもチェックする。
【００３５】
次に、作業者は、係合フック６６の位置にフック孔８０を位置させ、下係合片８６が段差部７１の位置になるように、図２に示すように、カバー４６を取り付け部材４４に被せる。カバー４６を被せるときは、既に右扉２６と野菜室１６の引出し式の扉２８が取り付けられ、仕切部１５は右扉２６と引出し式の扉２８との間に挟まれた狭い空間で作業者は、固定作業を行う必要がある。しかし、作業者は、カバー４６を取り付け部材４４の正面から被せるだけであるため、右扉２６と引出し式の扉２８があっても、簡単に被せることができる。
【００３６】
この被せるときに、カバー４６のフック引込み部８２が、図６に示すように、係合フック６６の湾曲した基部に沿って引き込まれ、被せ易くなる。
【００３７】
また、フック孔８０の縁部が、図５に示すように、係合フック６６の突起６８を越えて、係合凹部７０に至る。これによって、被せたカバー４６の前方への抜脱を防止できる。
【００３８】
また、後係合片８８が、図８に示すように、シート部材８４によって形成された隙間８５に係合する。これによっても、被せたカバー４６の前方への抜脱を防止できる。
【００３９】
また、下係合片８６が、図７に示すように、段差部７１に係合すると共に、係合フック６６が、図５に示すように、フック孔８０に挿入されている。これによって、被せたカバー４６が、垂直面に対する法線を回転軸として回転しない。
【００４０】
また、カバー４６の前後方向の長さは、図５に示すように、取り付け部材４４の厚みよりも大きく形成され、カバー４６を被せても、前板７２と取り付け部材４４とは離間している。
【００４１】
（４）効果
以上により本実施形態の冷蔵庫１０のヒンジ構造であると、取り付け部材４４を仕切部１５にネジ止めして、右扉２６を取り付け、左扉２４と右扉２６がピッタリと閉まるように調整した後に、カバー４６を被せることができる。そのため、作業者が、従来のように左右扉２４，２６の位置を調整し難いということがない。
【００４２】
また、カバー４６は取り付け部材４４の正面から被せるだけであるため、右扉２６と引出し式の扉２８があっても、作業者は、カバー４６を簡単に被せることができる。
【００４３】
また、係合フック６６の突起６８と係合凹部７０と、カバー４６のフック孔８０の縁部の係合により、被せたカバー４６の前方への抜脱を防止できる。また、シート部材８４によって形成された隙間８５に左板７６の後係合片８８が係合するため、この係合によっても、被せたカバー４６の前方への抜脱を防止できる。
【００４４】
また、左板７６の下係合片８６が取り付け部材４４の段差部７１と係合すると共に、係合フック６６がフック孔８０に挿入されているので、被せたカバー４６の垂直面に対する法線を回転軸とした回転を阻止できる。
【００４５】
また、カバー４６は、左ネジ６０と中ネジ６２を被うため、冷蔵庫１０を正面から見ても外観上優れたものとなる。なお、右ネジ６４にはカバー４６は被せられていないが、この右ネジ６４は、前方に突出した軸支持部４８の下方に位置しているため、ユーザが正面上方からこの右ネジ６４が見えることがない。
【００４６】
また、カバー４６の前後方向の長さは、取り付け部材４４の厚みよりも大きく形成され、カバー４６の前板７２と取り付け部材４４とは離間している。このため、右扉２６を閉めた衝撃でカバー４６が後方に押圧されても、取り付け部材４４にぶつかることなく、カバー４６が破損しない。
【実施形態２】
【００４７】
実施形態２の冷蔵庫１０のヒンジ構造について図９に基づいて説明する。
【００４８】
実施形態１の取り付け部材４４においては、係合フック６６が取り付け部材４４の前面から前方に突出していたが、本実施形態では、図９に示すように、軸支持部４８の左側面から左側に向かって突出している。
【００４９】
本実施形態では、カバー４６は、軸支持部４８の左側面までカバーできるように延設され、この延設された部分にフック孔８０を開口する。
【００５０】
カバー４６を取り付け部材４４に被せるには、上記実施形態のように正面からではなく、係合フック６６がフック孔８０に挿入されるように左側面から被せる。
【実施形態３】
【００５１】
実施形態３の冷蔵庫１０のヒンジ構造について図１０と図１１に基づいて説明する。
【００５２】
実施形態１では、１つのカバー４６で取り付け部材４４の正面を被っていたが、本実施形態では、このカバー４６に加えて、図１０に示すように、軸支持部４８の上面を庇状に被う第２のカバー９４を被せている。
【００５３】
第２のカバー９４は、図１１に示すように、軸支持部４８と右扉２６との隙間に差し込むようにして正面から被せるものであり、下ヒンジ軸５０があっても挿入できるようにＵ字状の差込み孔９６が設けられていると共に、ストッパー凹部５２が露出する形状となっている。
【変更例】
【００５４】
上記実施形態では、観音開き式の扉２４，２６における下ヒンジ部材３８，４２で説明したが、これに限らず１枚の扉のヒンジ構造における下ヒンジ部材に上記実施形態の下ヒンジ部材を適用してもよい。
【００５５】
また、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５６】
１０・・・冷蔵庫、１２・・・キャビネット、１４・・・冷蔵室、１５・・・仕切部、２４・・・左扉、２６・・・右扉、４２・・・下ヒンジ部材、４４・・・取り付け部材、４６・・・カバー、４８・・・軸支持部、５０・・・下ヒンジ軸、６０・・・左ネジ、６２・・・中ネジ、６６・・・係合フック、６８・・・突起、７０・・・係合凹部、８０・・・フック孔、８４・・・シート部材、８５・・・隙間、８６・・・下係合片、８８・・・後係合片、９４・・・第２のカバー
【図１】
2014037918.tif 000003
【図２】
2014037918.tif 000004
【図３】
2014037918.tif 000005
【図４】
2014037918.tif 000006
【図５】
2014037918.tif 000007
【図６】
2014037918.tif 000008
【図７】
2014037918.tif 000009
【図８】
2014037918.tif 000010
【図９】
2014037918.tif 000011
【図１０】
2014037918.tif 000012
【図１１】
2014037918.tif 000013